(57)【特許請求の範囲】
【請求項１】
それぞれに対して設けられた光源から照射される光によって発光すると共に当該光源の点灯、消灯に応じて発光、非発光を切り替え可能である複数の立体物と、
前記複数の立体物によって指し示される指標部とを備え、
前記複数の立体物は、前記指標部に沿って配列され、当該複数の立体物のうち発光状態にある立体物と非発光状態にある立体物との境界位置に応じて前記指標部の所定の位置を指し示すものであり、車両情報を表示する表示面より目視位置側に突出して設けられ、
前記表示面は、前記車両情報に関する画像を表示する画像表示面を含んで構成され、
前記複数の立体物は、前記画像表示面に隣接して設けられると共に一部が当該画像表示面と重なることを特徴とする、
表示装置。
【請求項２】
それぞれに対して設けられた光源から照射される光によって発光すると共に当該光源の点灯、消灯に応じて発光、非発光を切り替え可能である複数の立体物と、
前記複数の立体物によって指し示される指標部とを備え、
前記複数の立体物は、前記指標部に沿って配列され、当該複数の立体物のうち発光状態にある立体物と非発光状態にある立体物との境界位置に応じて前記指標部の所定の位置を指し示すものであり、車両情報を表示する表示面より目視位置側に突出して設けられ、
前記指標部は、前記複数の立体物に重ねて設けられ光を透過する透明部材と、前記透明部材に描かれ前記複数の立体物によって指し示される図柄とを含んで構成されることを特徴とする、
表示装置。
【請求項３】
それぞれに対して設けられた光源から照射される光によって発光すると共に当該光源の点灯、消灯に応じて発光、非発光を切り替え可能である複数の立体物と、
前記複数の立体物によって指し示される指標部とを備え、
前記複数の立体物は、前記指標部に沿って配列され、当該複数の立体物のうち発光状態にある立体物と非発光状態にある立体物との境界位置に応じて前記指標部の所定の位置を指し示すものであり、車両情報を表示する表示面より目視位置側に突出して設けられ、
前記立体物は、前記表示面と前記目視位置とが並ぶ方向を奥行き方向とした場合に、前記目視位置側の面の前記奥行き方向に対する位置が当該目視位置から離間するほど濃くなり、当該目視位置に接近するほど薄くなる着色グラデーションが施されることを特徴とする、
表示装置。
【請求項４】
それぞれに対して設けられた光源から照射される光によって発光すると共に当該光源の点灯、消灯に応じて発光、非発光を切り替え可能である複数の立体物と、
前記複数の立体物によって指し示される指標部とを備え、
前記複数の立体物は、前記指標部に沿って配列され、当該複数の立体物のうち発光状態にある立体物と非発光状態にある立体物との境界位置に応じて前記指標部の所定の位置を指し示すものであり、車両情報を表示する表示面より目視位置側に突出して設けられ、
前記立体物は、前記光源から照射された光が入射する入射面から当該光源の光の照射方向に延在する基端部と、屈曲部を介して前記基端部と一体で形成され前記表示面より前記目視位置側に位置して前記光源の光の照射方向と交差する方向に延在する本体部とを有し、前記屈曲部に当該屈曲部からの光の漏れを抑制するキャップ部材が装着されることを特徴とする、
表示装置。
【発明の詳細な説明】
【技術分野】
【０００１】
本発明は、表示装置に関する。
【背景技術】
【０００２】
車両等に搭載される従来の表示装置として、例えば、特許文献１には、光源の光によって照明される第１の表示パネルと、第１の表示パネルと並置して設けられる第２の表示パネルと、第１の表示パネル及び第２の表示パネルの表示面側を覆うように設けられた前面板とを備えた表示装置が開示されている。この表示装置は、第１の表示パネルと第２の表示パネルとの間に中間部を有し、非表示領域と対応する箇所に意匠部を有し、意匠部は、前面板を透過する光によって照明されることで、複数の表示パネルに一体感を持たせている。
【先行技術文献】
【特許文献】
【０００３】
【特許文献１】特開２０１２−１８９６６６号公報
【発明の概要】
【発明が解決しようとする課題】
【０００４】
ところで、上述の特許文献１に記載の表示装置は、例えば、第１の表示パネルと第２の表示パネルとによる表示では全体が平面的な印象になるなど、立体感の創出の点で更なる改善の余地がある。
【０００５】
本発明は、上記の事情に鑑みてなされたものであって、立体感を創出することができる表示装置を提供することを目的とする。
【課題を解決するための手段】
【０００６】
上記目的を達成するために、本発明に係る表示装置は、それぞれに対して設けられた光源から照射される光によって発光すると共に当該光源の点灯、消灯に応じて発光、非発光を切り替え可能である複数の立体物と、前記複数の立体物によって指し示される指標部とを備え、前記複数の立体物は、前記指標部に沿って配列され、当該複数の立体物のうち発光状態にある立体物と非発光状態にある立体物との境界位置に応じて前記指標部の所定の位置を指し示すものであり、車両情報を表示する表示面より目視位置側に突出して設けられることを特徴とする。
【０００７】
また、上記表示装置では、前記表示面は、前記車両情報に関する画像を表示する画像表示面を含んで構成され、前記複数の立体物は、前記画像表示面に隣接して設けられると共に一部が当該画像表示面と重なるものとすることができる。
【０００８】
また、上記表示装置では、前記指標部は、前記複数の立体物に重ねて設けられ光を透過する透明部材と、前記透明部材に描かれ前記複数の立体物によって指し示される図柄とを含んで構成されるものとすることができる。
【０００９】
また、上記表示装置では、前記立体物は、前記表示面と前記目視位置とが並ぶ方向を奥行き方向とした場合に、前記目視位置側の面の前記奥行き方向に対する位置が当該目視位置から離間するほど濃くなり、当該目視位置に接近するほど薄くなる着色グラデーションが施されるものとすることができる。
【００１０】
また、上記表示装置では、前記立体物は、前記光源から照射された光が入射する入射面から当該光源の光の照射方向に延在する基端部と、屈曲部を介して前記基端部と一体で形成され前記表示面より前記目視位置側に位置して前記光源の光の照射方向と交差する方向に延在する本体部とを有し、前記屈曲部に当該屈曲部からの光の漏れを抑制するキャップ部材が装着されるものとすることができる。
【発明の効果】
【００１１】
本発明に係る表示装置は、発光状態と非発光状態とに切り替え可能に構成された複数の立体物によって指標部を指し示すことで、当該複数の立体物と当該指標部とによって情報を表示することができる。そして、表示装置は、当該複数の立体物が、車両情報を表示する表示面より目視位置側に突出して設けられることから、立体感を創出することができる、という効果を奏する。
【図面の簡単な説明】
【００１２】
【図１】図１は、実施形態に係る表示装置の概略構成を示す斜視図である。
【図２】図２は、実施形態に係る表示装置の奥行き方向前面側の正面図である。
【図３】図３は、図２に示すＡ−Ａ断面図である。
【図４】図４は、実施形態に係る表示装置の発光セグメントバーを含む部分斜視図である。
【図５】図５は、実施形態に係る表示装置のランプハウジングを含む部分斜視図である。
【図６】図６は、実施形態に係る表示装置の発光セグメントバーの側面図である。
【図７】図７は、変形例に係る表示装置の模式図である。
【発明を実施するための形態】
【００１３】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１４】
［実施形態］
図１は、実施形態に係る表示装置の概略構成を示す斜視図である。図２は、実施形態に係る表示装置の奥行き方向前面側の正面図である。図３は、図２に示すＡ−Ａ断面図である。図４は、実施形態に係る表示装置の発光セグメントバーを含む部分斜視図である。図５は、実施形態に係る表示装置のランプハウジングを含む部分斜視図である。図６は、実施形態に係る表示装置の発光セグメントバーの側面図である。図７は、変形例に係る表示装置の模式図である。
【００１５】
図１、図２に示す本実施形態に係る表示装置１は、いわゆるメータを構成するものであり、例えば、自動車等の車両のダッシュボードに設けられたインストルメントパネルに搭載され、車両の運転に供される種々の情報を表示する。
【００１６】
なお、図１等に示す表示装置１の幅方向とは、典型的には、この表示装置１が適用される車両の車幅方向に相当する。以下の説明では、表示装置１の幅方向において、表示装置１の前面に向かって左側を幅方向左側、向かって右側を幅方向右側という。また、図１等に示す表示装置１の奥行き方向とは、典型的には、この表示装置１が適用される車両の前後方向（言い換えれば、車両進行方向）に相当する。また、表示装置１の前面側とは、車両の運転席と対面する側であり、典型的には、当該運転席に座った運転者によって視認される側、すなわち、運転者等の目視者の目視位置側である。一方、表示装置１の背面側とは、奥行き方向において前面側とは反対側であり、典型的には、インストルメントパネルの内部に収容される側である。また、当該奥行き方向は、後述する表示面１１と目視者の目視位置（アイポイント）とが並ぶ方向に相当する。また、以下の説明で用いる各方向は、特に断りのない限り、表示装置１がインストルメントパネルに組み付けられた状態での方向を表す。
【００１７】
具体的には、表示装置１は、ケース２と、ディスプレイ３と、文字板４と、セグメント表示部５と、導光板表示装置６と、見返し板７とを備える。表示装置１は、奥行き方向の背面側から前面側に向かって、ケース２、ディスプレイ３、文字板４、導光板表示装置６、見返し板７の順で積層されると共に、ディスプレイ３の幅方向両側にセグメント表示部５が配置された構造となっている。なお、表示装置１は、見返し板７等のさらに奥行き方向前面側に、光を透過する部材によって形成された透過性カバー部材（いわゆる表ガラス）等を備えていてもよい。
【００１８】
ケース２は、樹脂材料等によって構成され、表示装置１を構成する種々の部品が組み付けられこれらを収容する筐体の一部を構成するものである。
【００１９】
ディスプレイ３は、ケース２等に組み付けられる回路基板等を介して駆動制御され、画像表示面３ａに種々の車両情報に関する画像を表示するものである。画像表示面３ａは、ディスプレイ３において略矩形状の表示領域を構成する。ディスプレイ３は、例えば、薄型の液晶ディスプレイを用いることができるが、これに限らず、プラズマディスプレイ、有機ＥＬディスプレイ等を用いることもできる。画像表示面３ａが表示する車両情報に関する画像としては、例えば、車両の速度やエコ走行等に関する情報の他、積算走行距離、冷却水温、走行用動力源の出力回転数、燃料残量、バッテリ蓄電量、ナビゲーション情報、地図情報、交差点情報等、車両の運転に際して時々刻々と変化する様々な運転に関する運転情報が含まれてもよい。ここでは、ディスプレイ３は、一例として、車両の速度を表示する速度計１２の一部を構成するものとして説明するがこれに限らない。ディスプレイ３は、速度計１２として機能する際には、例えば、画像表示面３ａに車両情報として指針の実像画像（以下、単に「指針画像」という場合がある。）３ｂを表示する。指針画像３ｂは、現在の計測値（ここでは速度）を指し示すための針状の画像であり、所定の回転中心を中心として回動する回動型の指針の画像である。
【００２０】
文字板４は、表示する車両情報に応じた種々の図柄、記号、文字列等が描かれた板状の部材である。文字板４は、例えば、透明生地のポリカーボネイト製シートであり、暗色系のインクによって、上記図柄、記号、文字列等に対応した形状が中抜きされた印刷が施されることで、上記図柄、記号、文字列等が描かれている。文字板４は、車両情報に関する図柄、記号、文字列等の中抜きされた部分が光を透過する部分となり、例えば、背面側に設けられた光源が点灯することで、文字板４の奥行き方向背面側から光が照射され、各中抜きされた部分において当該照射された光が透過され、これにより、中抜きされた部分に応じた図柄、記号、文字列等が点灯表示される。一方、文字板４は、光源が消灯されることで、各中抜きされた部分に応じた図柄、記号、文字列等が消灯される。ここでは、文字板４は、ほぼ中央部に略矩形状の開口部４１が形成されている。上述のディスプレイ３は、前面側の表面が当該開口部４１を介して文字板４の前面側に露出しており、このディスプレイ３の前面側の表面が上述の略矩形状の画像表示面３ａの表示領域を構成する。この文字板４の図柄、記号、文字列等が形成された表面とディスプレイ３の画像表示面３ａとは、この表示装置１において、車両情報を表示する表示面１１を構成する。また、文字板４は、開口部４１の幅方向左側に開口部４２が形成され、開口部４１の幅方向右側に開口部４３が形成される。開口部４２、開口部４３は、後述のバー保持部２３が露出する部分である。
【００２１】
セグメント表示部５は、図１、図２、図３、図４に示すように、ケース２等に組み付けられる回路基板等を介して駆動制御され、複数の光源５１（図４参照）が点灯、消灯することで種々の車両情報を表示する表示灯式表示部である。ここでは、セグメント表示部５は、車両のエンジン回転数を表示する回転計１３の一部を構成する回転計セグメント表示部５Ａ、車両の冷却水温を表示する水温計１４の一部を構成する水温計セグメント表示部５Ｂ、車両の燃料残量を表示する燃料計１５の一部を構成する燃料計セグメント表示部５Ｃの３つを含んで構成される。回転計セグメント表示部５Ａは、ディスプレイ３の幅方向左側にケース２の鉛直方向上端部から下端部にかけて設けられる。水温計セグメント表示部５Ｂは、ディスプレイ３の幅方向右側にケース２の鉛直方向上端部から中央部にかけて設けられる。燃料計セグメント表示部５Ｃは、ディスプレイ３の幅方向右側でかつ水温計セグメント表示部５Ｂの鉛直方向下側にケース２の鉛直方向中央部から下端部にかけて設けられる。なお、以下の説明では、回転計セグメント表示部５Ａ、水温計セグメント表示部５Ｂ、燃料計セグメント表示部５Ｃを特に区別して説明する必要がない場合には、単にセグメント表示部５とし、共通の説明とする。
【００２２】
セグメント表示部５は、複数の光源５１と、複数の立体物としての発光セグメントバー５２と、複数のキャップ部材５３とを含んで構成され、各光源５１の点灯、消灯に応じて発光セグメントバー５２の発光、非発光が切り替えられる。なお、図４では、キャップ部材５３の図示を省略している。光源５１と発光セグメントバー５２とキャップ部材５３とは、それぞれ１つずつを１セットとして、当該セットが複数設けられる。ここでは、光源５１と発光セグメントバー５２とキャップ部材５３とのセットを、回転計セグメント表示部５Ａは、１６セット有し、水温計セグメント表示部５Ｂ、燃料計セグメント表示部５Ｃは、それぞれ８セットずつ有する。
【００２３】
光源５１は、各セグメント表示部５において、鉛直方向に沿って所定の間隔をあけて複数並んで配列される。各光源５１は、例えば、ＬＥＤ（Ｌｉｇｈｔ  Ｅｍｉｔｔｉｎｇ  Ｄｉｏｄｅ）素子等によって構成されるがこれに限らない。各光源５１は、それぞれケース２に形成された複数の光源収容室２１に１つずつ収容され、ケース２の背面側に組み付けられる回路基板２２等に実装されて駆動制御される。光源収容室２１は、ケース２のバー保持部２３に区画された空間部であって、各光源５１に対応して個別に凹部状に区画された空間部である。
【００２４】
ここで、バー保持部２３は、図５等に示すように、ケース２の本体部分と一体で形成され発光セグメントバー５２を表示面１１上に保持するものである。回転計セグメント表示部５Ａのバー保持部２３は、幅方向左側の開口部４２を介して文字板４の前面側に露出し、水温計セグメント表示部５Ｂ、燃料計セグメント表示部５Ｃのバー保持部２３は、幅方向右側の開口部４３を介して文字板４の前面側に露出する。バー保持部２３は、上述の光源収容室２１と、保持部２４とを含んで構成される。光源収容室２１は、各バー保持部２３において、各セグメント表示部５における光源５１の数と同数が形成される。各光源収容室２１は、奥行き方向前面側に開口すると共に背面側が回路基板２２によって塞がれ当該回路基板２２上にそれぞれ光源５１が１つずつ実装される。各光源５１は、奥行き方向背面側から前面側に向けて光を照射すると共に光源収容室２１の各壁面が遮光壁として機能することで相互の光が干渉することが規制される。回転計セグメント表示部５Ａでは、各光源収容室２１、及び、これに収容される各光源５１は、バー保持部２３の幅方向左側の端部に、鉛直方向に沿って所定の間隔をあけ、かつ、鉛直方向下側から上側に向かうにしたがって徐々に幅方向右側に湾曲するように配列されている。水温計セグメント表示部５Ｂ、燃料計セグメント表示部５Ｃでは、各光源収容室２１、及び、これに収容される各光源５１は、バー保持部２３の幅方向右側の端部に、鉛直方向に沿って所定の間隔をあけ、かつ、鉛直方向下側から上側に向かうにしたがって徐々に幅方向左側に湾曲するように配列されている。保持部２４は、発光セグメントバー５２の本体部５２ｂを保持する部分であり、各バー保持部２３の奥行き方向前面側の面に形成される。保持部２４は、各バー保持部２３において、各セグメント表示部５における発光セグメントバー５２の数と同数が形成される。各保持部２４は、各バー保持部２３の奥行き方向前面側の面において、各光源収容室２１からそれぞれ幅方向中央側に向けて延在するようにして形成される。つまり、回転計セグメント表示部５Ａでは、各保持部２４は、各光源収容室２１から幅方向右側でかつ鉛直方向上側に向けて延在する。水温計セグメント表示部５Ｂ、燃料計セグメント表示部５Ｃでは、各保持部２４は、各光源収容室２１から幅方向左側でかつ鉛直方向上側に向けて延在する。
【００２５】
図１、図２、図３、図４に戻って、発光セグメントバー５２は、各セグメント表示部５において、鉛直方向に沿って所定の間隔をあけて複数並んで配列される。各発光セグメントバー５２は、それぞれに対して設けられた光源５１から照射される光によって発光すると共に当該光源５１の点灯、消灯に応じて発光、非発光を切り替え可能なものである。発光セグメントバー５２は、光源５１から照射された光を透過する透過性を有する透明部材（透明媒体）によって形成される導光体である。発光セグメントバー５２は、例えば、アクリル樹脂（ＰＭＭＡ）、ポリカーボネート（ＰＣ）等の透明樹脂によって形成される。
【００２６】
本実施形態の発光セグメントバー５２は、車両情報を表示する表示面１１より目視位置側に突出して設けられることで、立体感の創出を図っている。
【００２７】
より具体的には、発光セグメントバー５２は、図３、図６に示すように、基端部５２ａと、本体部５２ｂと、屈曲部５２ｃとを有し、これらが一体で形成される。基端部５２ａは、光源５１から照射された光が入射する入射面５２ｄを有し、当該入射面５２ｄから当該光源５１の光の照射方向に延在する棒状の部分である。ここでは、基端部５２ａは、断面形状が略矩形状の棒状に形成されるがこれに限らず、断面形状がその他の多角形状、略円形状等であってもよい。基端部５２ａは、光源５１の光の照射方向に延在し、当該照射方向の一端側が入射面５２ｄとなり、他端側に屈曲部５２ｃを介して本体部５２ｂが設けられる。本体部５２ｂは、屈曲部５２ｃを介して基端部５２ａと一体で形成され光源５１の光の照射方向と交差する方向、ここでは、ほぼ直交する方向に延在する棒状の部分である。ここでは、本体部５２ｂは、断面形状が略矩形状の棒状に形成されるがこれに限らず、断面形状がその他の多角形状、略円形状等であってもよい。またここでは、本体部５２ｂは、光源５１の光の照射方向に沿った厚さに関し、基端部５２ａ側が相対的に厚く、反対側の先端部５２ｅ側に向けて徐々に薄くなるように形成される。すなわち、本体部５２ｂは、先端部５２ｅ側が尖った先細りの形状となっている。これにより、発光セグメントバー５２は、光源５１から照射される光によって発光する際に、基端部５２ａ側の出射光の光量と先端部５２ｅ側の出射光の光量とに差が生じることを抑制し、輝度が均一になるように構成される。なおここでは、本体部５２ｂは、光源５１の光の照射方向と直交する方向に対して、奥行き方向前面側の面が傾斜するように形成されているがこれに限らず、背面側の面が傾斜していてもよいし、両方が傾斜していてもよい。屈曲部５２ｃは、基端部５２ａと本体部５２ｂとの間に介在する折れ曲がり部分であり、基端部５２ａの延在方向と本体部５２ｂの延在方向とを交差させて接続する。屈曲部５２ｃは、湾曲部分として形成されてもよい。発光セグメントバー５２は、基端部５２ａと本体部５２ｂと屈曲部５２ｃとが一体で形成されることで、全体として略Ｌ字型のロッド状に形成される。
【００２８】
そして、各発光セグメントバー５２は、各基端部５２ａがそれぞれ各光源収容室２１に挿入されると共に、各本体部５２ｂがそれぞれ各保持部２４に保持されるようにして各バー保持部２３に組み付けられ、保持される。各発光セグメントバー５２は、各バー保持部２３に保持された状態で、各基端部５２ａが各光源収容室２１内にほぼ収容され入射面５２ｄがそれぞれ各光源５１と対向すると共に、各本体部５２ｂが表示面１１より目視位置側、すなわち、奥行き方向前面側に位置する。また、本実施形態の各発光セグメントバー５２は、各バー保持部２３に保持された状態で、図２、図３に示すように、幅方向に沿って画像表示面３ａに隣接して設けられると共に一部が当該画像表示面３ａと重なる。ここでは、各発光セグメントバー５２は、奥行き方向に対して、先端部５２ｅが画像表示面３ａの幅方向端部と重なっている。すなわち、各発光セグメントバー５２は、画像表示面３ａの矩形状の表示領域外から表示領域内にまたがるようにして設けられる。なお、本実施形態の複数の発光セグメントバー５２は、鉛直方向下側から上側に向かうにしたがって徐々に長さが短くなるように形成され、これにより、各先端部５２ｅの幅方向に対する位置がほぼ揃いつつ若干湾曲して位置するように構成されている。
【００２９】
キャップ部材５３は、遮光性の樹脂部材によって形成され、屈曲部５２ｃに装着されることで屈曲部５２ｃからの光の漏れを抑制するものである。
【００３０】
上記のように構成されるセグメント表示部５は、各光源５１がそれぞれ個別に点灯することで、当該光源５１から、対応する発光セグメントバー５２の入射面５２ｄに光が照射され、当該入射面５２ｄから入射した光が基端部５２ａ、屈曲部５２ｃ、本体部５２ｂ側に導光される。これにより、セグメント表示部５は、各発光セグメントバー５２がそれぞれ個別に発光する。一方、セグメント表示部５は、各光源５１がそれぞれ個別に消灯されることで、対応する発光セグメントバー５２が個別に非発光とされる。
【００３１】
なお、セグメント表示部５は、各光源５１の色を適宜設定することで、発光セグメントバー５２の発光時の発光色を任意に設定することができる。また、発光セグメントバー５２は、本体部５２ｂの奥行き方向前面側の面や背面側の面に光透過性の着色層５２ｆ、５２ｇが設けられてもよい。着色層５２ｆ、５２ｇは、例えば、ホットスタンプ箔やインクジェット印刷等によって施されればよい。これにより、発光セグメントバー５２は、発光時の発光色を任意に設定することができる。この場合、発光セグメントバー５２は、目視位置側の面の位置、すなわち、奥行き方向前面側の面の位置に応じて濃淡が異なる着色が施されることで、更なる立体感の創出を図ることもできる。具体的には、図３等に例示するように、発光セグメントバー５２は、目視位置側（前面側）の面の位置が当該目視位置から離間するほど濃くなり、当該目視位置に接近するほど薄くなる着色グラデーションが施されてもよい。図３の例では、例えば、発光セグメントバー５２は、本体部５２ｂにおいて、目視位置側（前面側）の面の位置が目視位置から相対的に離れて位置する先端部５２ｅ側が相対的に濃くなり、目視位置に相対的に近い基端部５２ａ側が相対的に薄くなるようなグラデーションを着色層５２ｆによって形成してもよい。
【００３２】
図１、図２、図３、図４に戻って、導光板表示装置６は、透明部材としての透明文字板６１と、光源６２とを含んで構成される。透明文字板６１は、ディスプレイ３、文字板４の前面側に重ねて設けられる。透明文字板６１は、ディスプレイ３から照射された光を透過する透過性を有する透明樹脂（透明媒体）によって形成される透明導光板である。透明文字板６１は、メイン透明文字板６１Ａと、当該メイン透明文字板６１Ａの幅方向両側に設けられる一対のサブ透明文字板６１Ｂ、６１Ｃの３つを含んで構成される。メイン透明文字板６１Ａは、少なくとも一部がディスプレイ３の画像表示面３ａの前面側に重なるようにして設けられる。ここでは、メイン透明文字板６１Ａは、鉛直方向の両端面が幅方向に沿った直線状でかつ幅方向の両端面が外側に突出した曲線状に形成された樽型形状に形成される。サブ透明文字板６１Ｂは、少なくとも一部がセグメント表示部５のうち回転計セグメント表示部５Ａの各発光セグメントバー５２の前面側に重なるようにして設けられる。より詳細には、サブ透明文字板６１Ｂは、各発光セグメントバー５２の本体部５２ｂの先端部５２ｅ側の部分に重なるようにして設けられる。ここでは、サブ透明文字板６１Ｂは、鉛直方向の両端面が幅方向に沿った直線状でかつ幅方向の両端面がメイン透明文字板６１Ａの幅方向左側の端面の曲線に沿って湾曲した形状に形成される。サブ透明文字板６１Ｃは、少なくとも一部がセグメント表示部５のうち水温計セグメント表示部５Ｂ、燃料計セグメント表示部５Ｃの各発光セグメントバー５２の前面側に重なるようにして設けられる。より詳細には、サブ透明文字板６１Ｃは、各発光セグメントバー５２の本体部５２ｂの先端部５２ｅ側の部分に重なるようにして設けられる。ここでは、サブ透明文字板６１Ｃは、鉛直方向の両端面が幅方向に沿った直線状でかつ幅方向の両端面がメイン透明文字板６１Ａの幅方向右側の端面の曲線に沿って湾曲した形状に形成される。なお、以下の説明では、メイン透明文字板６１Ａ、サブ透明文字板６１Ｂ、６１Ｃを特に区別して説明する必要がない場合には、単に透明文字板６１という。
【００３３】
そして、本実施形態の透明文字板６１は、種々の図柄（表示意匠）６３が形成される。図柄６３は、例えば、透明文字板６１に凹凸部としての複数の微細な溝を形成することで構成される。図柄６３を構成する溝は、例えば、レーザー加工等の種々の手法による掘り込みによって、透明文字板６１の主面上、ここでは、当該透明文字板６１の背面側の主面上に凹形状となるように形成されてもよい。また、図柄６３を構成する溝は、例えば、当該溝に相当する凸形状を設けた金型を用いて透明文字板６１を樹脂成形することによって、透明文字板６１の主面上、ここでは、当該透明文字板６１の背面側の主面上に凹形状となるように形成されてもよい。透明文字板６１に形成される図柄６３としては、例えば、ディスプレイ３で表示される運転情報やセグメント表示部５と関連するような種々の図柄が含まれてもよい。
【００３４】
ここでは、透明文字板６１のうちメイン透明文字板６１Ａは、ディスプレイ３に表示される指針画像３ｂによって指し示される指標部１６を構成するものである。メイン透明文字板６１Ａは、図柄６３として、速度計１２の目盛を構成する実像図柄（以下、単に「速度計目盛図柄」という場合がある。）６３Ａが描かれている。速度計目盛図柄６３Ａは、ディスプレイ３が速度計として機能する際に指針画像３ｂの周りに設けられ当該指針画像３ｂによって指し示される図柄である。速度計目盛図柄６３Ａは、指針画像３ｂの回転中心を中心とした円環と当該円環の内側に円周方向に沿って等間隔で設けられる目盛、速度を表す数字、及び、単位［ｋｍ／ｈ］の図柄を含んで構成される。速度計目盛図柄６３Ａの目盛は、指針画像３ｂの先端の回動軌跡に沿って描かれる。
【００３５】
透明文字板６１のうちサブ透明文字板６１Ｂは、回転計セグメント表示部５Ａの複数の発光セグメントバー５２によって指し示される指標部１７を構成するものである。回転計セグメント表示部５Ａの複数の発光セグメントバー５２は、当該サブ透明文字板６１Ｂに沿って略直線状に配列されている。サブ透明文字板６１Ｂは、図柄６３として、回転計１３の目盛を構成する実像図柄（以下、単に「回転計目盛図柄」という場合がある。）６３Ｂが描かれている。回転計目盛図柄６３Ｂは、回転計セグメント表示部５Ａに重畳するようにして描かれ発光セグメントバー５２によって指し示される図柄である。より詳細には、回転計目盛図柄６３Ｂは、各発光セグメントバー５２の本体部５２ｂの先端部５２ｅ側の部分に重なるようにして描かれる。回転計目盛図柄６３Ｂは、鉛直方向に沿って延びる円弧状の基準線と当該基準線の幅方向右側に設けられた目盛、及び、回転数を表す数字の図柄を含んで構成される。
【００３６】
透明文字板６１のうちサブ透明文字板６１Ｃは、水温計セグメント表示部５Ｂ、燃料計セグメント表示部５Ｃの複数の発光セグメントバー５２によって指し示される指標部１８を構成するものである。水温計セグメント表示部５Ｂ、燃料計セグメント表示部５Ｃの複数の発光セグメントバー５２は、当該サブ透明文字板６１Ｃに沿って略直線状に配列されている。サブ透明文字板６１Ｃは、図柄６３として、水温計１４の目盛を構成する実像図柄（以下、単に「水温計目盛図柄」という場合がある。）６３Ｃ、及び、燃料計１５の目盛を構成する実像図柄（以下、単に「燃料計目盛図柄」という場合がある。）６３Ｄが描かれている。水温計目盛図柄６３Ｃは、水温計セグメント表示部５Ｂに重畳するようにして描かれ発光セグメントバー５２によって指し示される図柄である。より詳細には、水温計目盛図柄６３Ｃは、各発光セグメントバー５２の本体部５２ｂの先端部５２ｅ側の部分に重なるようにして描かれる。水温計目盛図柄６３Ｃは、鉛直方向に沿って延びる円弧状の基準線と当該基準線の幅方向左側に設けられた目盛、及び、水温の高低を表す文字「Ｈ」、「Ｃ」の図柄を含んで構成される。燃料計目盛図柄６３Ｄは、燃料計セグメント表示部５Ｃに重畳するようにして描かれ発光セグメントバー５２によって指し示される図柄である。より詳細には、燃料計目盛図柄６３Ｄは、各発光セグメントバー５２の本体部５２ｂの先端部５２ｅ側の部分に重なるようにして描かれる。燃料計目盛図柄６３Ｄは、鉛直方向に沿って延びる円弧状の基準線と当該基準線の幅方向左側に設けられた目盛、及び、燃料残量を表す文字「Ｆ」、「Ｅ」の図柄である。
【００３７】
なお、以下の説明では、速度計目盛図柄６３Ａ、回転計目盛図柄６３Ｂ、水温計目盛図柄６３Ｃ、燃料計目盛図柄６３Ｄを特に区別して説明する必要がない場合には、単に図柄６３という。
【００３８】
光源６２は、透明文字板６１の端面に光を照射する。光源６２は、例えば、ＬＥＤ（Ｌｉｇｈｔ  Ｅｍｉｔｔｉｎｇ  Ｄｉｏｄｅ）素子等によって構成されるが、これに限らない。光源６２は、その光軸方向が透明文字板６１の端面と直交し、かつ、照射された光が透明文字板６１の端面から入射するように設けられている。光源６２は、透明文字板６１の鉛直方向の上端面、及び、下端面と対向する位置に、それぞれ幅方向に沿って所定の間隔をあけて複数設けられる。ここでは、各光源６２は、その光軸方向が鉛直方向に沿うように配置され、これにより、光源６２による光の照射方向が鉛直方向に沿った方向となる。つまり、透明文字板６１の鉛直方向の上端面と対向する各光源６２は、鉛直方向に沿って下向きに光を照射し、透明文字板６１の鉛直方向の下端面と対向する各光源６２は、鉛直方向に沿って上向きに光を照射する。上述の図柄６３を構成する溝の延在方向と光の照射方向（言い換えれば光軸方向）とは、互いに直交することが好ましい。各光源６２は、例えば、前面側から視て後述の見返し板７やインストルメントパネル等によって隠れる位置に配置される。各光源６２は、ケース２等に組み付けられる回路基板等を介して等を介して駆動制御される。各光源６２は、典型的には、メイン透明文字板６１Ａの端面に沿って設けられた光源６２と、サブ透明文字板６１Ｂの端面に沿って設けられた光源６２と、サブ透明文字板６１Ｃの端面に沿って設けられた光源６２とをそれぞれ個別に点灯、消灯を切り替えることができる。
【００３９】
上記のように構成される導光板表示装置６は、各光源６２が回路基板等を介して駆動制御されることで、光源６２の点灯、消灯に基づいて、図柄６３の表示、非表示が切り替えられる。導光板表示装置６は、光源６２が点灯すると図柄６３が発光表示された状態となり、すなわち、光源６２から照射された光が透明文字板６１の端面に入射して当該透明文字板６１内を伝播し、少なくとも当該入射光の一部の成分が図柄６３を構成する凹凸部（溝）で前面側に反射し、この結果、運転者等が当該図柄６３を視認可能な状態となる。この場合、導光板表示装置６は、運転者が前面側（運転席側）から視たときに、透明文字板６１上に表示される図柄６３を、当該透明文字板６１の背面側に位置するディスプレイ３の画像表示面３ａ上の画像（指針画像３ｂ）やセグメント表示部５の各発光セグメントバー５２上に重畳させて表示して所定の意匠を形成し、これにより、多様な表示を可能とすることができる。一方、導光板表示装置６は、光源６２が消灯すると図柄６３が非表示の状態となり、ディスプレイ３から照射され透明文字板６１を透過した光によって、運転者等が画像表示面３ａに表示された種々の画像を視認しやすい状態となる。上記のように図柄６３は、表示面１１の状態にかかわらず各光源６２の点灯、消灯に応じて表示状態と非表示状態とを切り替え可能である。ここで、図柄６３の表示状態とは、光源６２から照射される光によって当該図柄６３を表示する状態である。一方、図柄６３の非表示状態とは、光源６２が消灯することで当該図柄６３を非表示とする状態である。
【００４０】
見返し板７は、文字板４、透明文字板６１等の周囲を囲って当該文字板４、透明文字板６１等を押える枠状の部材である。見返し板７は、ケース２に組み付けられる。
【００４１】
上記のように構成される表示装置１は、ディスプレイ３、セグメント表示部５、導光板表示装置６によって情報を表示する。より詳細には、表示装置１は、ディスプレイ３、セグメント表示部５に表示される車両情報と透明文字板６１に描かれた図柄６３とを連携させた少なくとも１つの情報を表示する。ここで、車両情報と図柄６３とを連携させた情報とは、典型的には、ディスプレイ３、セグメント表示部５の車両情報又は透明文字板６１の図柄６３のいずれか一方では情報として意味をなさない情報であり、当該車両情報と当該図柄６３とを組み合わせて連携させることではじめて情報として意味をなす情報である。つまりここでは、車両情報と図柄６３とは、それぞれでは意味をなさないものの、相互に組み合わせることではじめて相互に連携した情報として意味をなすものであり、意味をなす連携した情報を生成するためにはいずれも必要不可欠なものである。
【００４２】
具体的には、表示装置１は、導光板表示装置６の各光源６２が点灯した状態、すなわち、透明文字板６１の全体が表示状態である場合には、図２に例示するような表示態様となる。
【００４３】
この場合、表示装置１は、ディスプレイ３と導光板表示装置６のメイン透明文字板６１Ａとが速度計１２を構成する。つまり、表示装置１は、ディスプレイ３に表示される車両情報に関する画像としての指針画像３ｂと、メイン透明文字板６１Ａに描かれ点灯表示された速度計目盛図柄６３Ａとが組み合わされて連携し、車両の車速を表示する。表示装置１は、画像表示面３ａに指針画像３ｂを動的に回動させる動画を表示し、当該指針画像３ｂによって、速度計目盛図柄６３Ａにおける現在の速度を指し示すことで、現在の車速を表示する。
【００４４】
また、表示装置１は、回転計セグメント表示部５Ａと導光板表示装置６のサブ透明文字板６１Ｂとが回転計１３を構成する。つまり、表示装置１は、回転計セグメント表示部５Ａに表示される車両情報としての各発光セグメントバー５２と、サブ透明文字板６１Ｂに描かれ点灯表示された回転計目盛図柄６３Ｂとが組み合わされて連携し、車両のエンジン回転数を表示する。表示装置１は、複数の発光セグメントバー５２に対応する各光源５１を現在のエンジン回転数に応じて点灯、消灯させ、回転計目盛図柄６３Ｂにおける現在のエンジン回転数の位置まで発光セグメントバー５２を発光状態とすることで、現在のエンジン回転数を表示する。この場合、複数の発光セグメントバー５２は、当該複数の発光セグメントバー５２のうち発光状態にある発光セグメントバー５２と非発光状態にある発光セグメントバー５２との境界位置に応じて指標部１７を構成するサブ透明文字板６１Ｂの所定の位置を指し示す。同様に、表示装置１は、水温計セグメント表示部５Ｂと導光板表示装置６のサブ透明文字板６１Ｃとが水温計１４を構成し、燃料計セグメント表示部５Ｃと導光板表示装置６のサブ透明文字板６１Ｃとが燃料計１５を構成する。これら水温計１４、燃料計１５の動作は、上述の回転計１３とほぼ同様なのでその説明を省略する。
【００４５】
一方、表示装置１は、導光板表示装置６の各光源６２の少なくとも一部が消灯した状態、すなわち、透明文字板６１の一部が非表示状態である場合には、例えば、表示面１１の表示領域をより広く使って車両情報を表示することもできる。
【００４６】
以上で説明した表示装置１によれば、それぞれに対して設けられた光源５１から照射される光によって発光すると共に当該光源５１の点灯、消灯に応じて発光、非発光を切り替え可能である複数の発光セグメントバー５２と、複数の発光セグメントバー５２によって指し示される指標部１７、１８とを備え、複数の発光セグメントバー５２は、指標部１７、１８に沿って配列され、当該複数の発光セグメントバー５２のうち発光状態にある発光セグメントバー５２と非発光状態にある発光セグメントバー５２との境界位置に応じて指標部１７、１８の所定の位置を指し示すものであり、車両情報を表示する表示面１１より目視位置側に突出して設けられる。
【００４７】
したがって、表示装置１は、発光状態と非発光状態とに切り替え可能に構成された複数の発光セグメントバー５２によって指標部１７、１８を指し示すことで、当該複数の発光セグメントバー５２と当該指標部１７、１８とによって情報を表示することができる。この場合、表示装置１は、発光状態にある発光セグメントバー５２と非発光状態にある発光セグメントバー５２との境界位置に応じて指標部１７、１８の所定の位置を指し示すことで、例えば、種々の計測値や物理量等を表示することができる。そして、表示装置１は、当該複数の発光セグメントバー５２が、車両情報を表示する表示面１１より目視位置側に突出して設けられることから、立体感を創出することができる。この結果、表示装置１は、より斬新な見栄えを実現することができる。
【００４８】
さらに、以上で説明した表示装置１によれば、表示面１１は、車両情報に関する画像を表示する画像表示面３ａを含んで構成され、複数の発光セグメントバー５２は、画像表示面３ａに隣接して設けられると共に一部が当該画像表示面３ａと重なる。したがって、表示装置１は、発光セグメントバー５２が画像表示面３ａの表示領域内と表示領域外とにまたがるように設けられることで、画像表示面３ａの境界を視認し難くすることができ、画像表示面３ａの形状にとらわれない斬新な見栄えとすることができる。この結果、表示装置１は、表示装置１全体として一体感を持たせて表示領域を相対的に大きく見せる視覚効果を得ることができる。
【００４９】
さらに、以上で説明した表示装置１によれば、指標部１７、１８は、複数の発光セグメントバー５２に重ねて設けられ光を透過するサブ透明文字板６１Ｂ、６１Ｃと、サブ透明文字板６１Ｂ、６１Ｃに描かれ複数の発光セグメントバー５２によって指し示される図柄６３（回転計目盛図柄６３Ｂ、水温計目盛図柄６３Ｃ、燃料計目盛図柄６３Ｄ）とを含んで構成される。したがって、表示装置１は、発光セグメントバー５２によって指し示される指標部１７、１８を、複数の発光セグメントバー５２に重ねて設けられる透明なサブ透明文字板６１Ｂ、６１Ｃと、サブ透明文字板６１Ｂ、６１Ｃに描かれた図柄６３とによって構成することで、更なる立体感を創出することができる。これにより、表示装置１は、サブ透明文字板６１Ｂ、６１Ｃに描かれた図柄６３と発光セグメントバー５２とが組み合わせられたより立体的で斬新な見栄えの表示を行うことができる。
【００５０】
さらに、以上で説明した表示装置１によれば、発光セグメントバー５２は、表示面１１と目視位置とが並ぶ方向を奥行き方向とした場合に、目視位置側の面の奥行き方向に対する位置が当該目視位置から離間するほど濃くなり、当該目視位置に接近するほど薄くなる着色グラデーションが施される。したがって、表示装置１は、着色グラデーションによって、目視位置に対する発光セグメントバー５２の高低差をより強調することができるので、さらに立体感を増す視覚効果を得ることができる。
【００５１】
さらに、以上で説明した表示装置１によれば、発光セグメントバー５２は、光源５１から照射された光が入射する入射面５２ｄから当該光源５１の光の照射方向に延在する基端部５２ａと、屈曲部５２ｃを介して基端部５２ａと一体で形成され表示面１１より目視位置側に位置して光源５１の光の照射方向と交差する方向に延在する本体部５２ｂとを有し、屈曲部５２ｃに当該屈曲部５２ｃからの光の漏れを抑制するキャップ部材５３が装着される。したがって、表示装置１は、基端部５２ａと本体部５２ｂと屈曲部５２ｃとによって構成される発光セグメントバー５２において、屈曲部５２ｃにキャップ部材５３が設けられることで、目視位置側に直接的に光源５１からの光が到達することを抑制することができる。
【００５２】
なお、上述した本発明の実施形態に係る表示装置は、上述した実施形態に限定されず、特許請求の範囲に記載された範囲で種々の変更が可能である。
【００５３】
以上の説明では、ディスプレイ３は、１つで構成されるものとして説明したが２つ以上が組み合わせられて構成されてもよい。また、表示装置１は、ディスプレイ３にかえて、あるいは、ディスプレイ３に加えてアナログ計器等を含んで構成されてもよい。この場合、表示面１１は、画像表示面３ａにかえて、あるいは、画像表示面３ａに加えて当該アナログ計器の表面やその文字板を含んで構成されてもよい。
【００５４】
また、以上の説明では、表示装置１は、ディスプレイ３とセグメント表示部５と導光板表示装置６とによって速度計１２、回転計１３、水温計１４、燃料計１５を構成するものとして説明したがこれに限らず、例えば、他の車両用の計測器や表示機器を構成してもよい。つまり、透明文字板６１に描かれる図柄６３は、速度計目盛図柄６３Ａ、回転計目盛図柄６３Ｂ、水温計目盛図柄６３Ｃ、燃料計目盛図柄６３Ｄを含んで構成されるものとして説明したがこれに限らない。
【００５５】
以上の説明では、複数の発光セグメントバー５２は、画像表示面３ａに隣接して設けられると共に一部が当該画像表示面３ａと重なるものとして説明したがこれに限らない。また、発光セグメントバー５２は、基端部５２ａ、本体部５２ｂ、屈曲部５２ｃを有し、略Ｌ字型のロッド状に形成されるものとして説明したがこれに限らず、例えば、本体部５２ｂで略直線状に形成されてもよい。この場合、光源５１は、例えば、本体部５２ｂの幅方向一方側の端部に対向し、かつ、光軸方向（光の照射方向）が幅方向に沿うように配置されればよく、キャップ部材５３も設けなくてよい。また、以上の説明では、本体部５２ｂは、先端部５２ｅ側が尖った先細りの形状となっているものとして説明したがこれに限らない。
【００５６】
以上の説明では、指標部１７、１８は、透明部材としてのサブ透明文字板６１Ｂ、６１Ｃと、図柄６３（回転計目盛図柄６３Ｂ、水温計目盛図柄６３Ｃ、燃料計目盛図柄６３Ｄ）とを含んで構成されるものとして説明したが上記の構成に限らない。例えば、図柄６３は、サブ透明文字板６１Ｂ、６１Ｃに対して凹凸部としての複数の微細な溝を形成することで構成されるものとして説明したが、光源６２からの光を反射させる凹凸部としては、複数の微細な溝にかえて複数の微細なドット、複数の微細な凹凸を有する印刷層等であってもよい。また、指標部１７、１８は、光源６２を有さず、単なる透明部材に図柄６３を印刷したものであってもよい。また、指標部１７、１８は、上述の文字板４に形成されてもよい。また、指標部１７、１８は、奥行き方向に対して発光セグメントバー５２の背面側に位置してもよいし、奥行き方向に対して発光セグメントバー５２とは重ならずに、各発光セグメントバー５２に幅方向に隣接するようにして設けられてもよい。また、複数の発光セグメントバー５２は、指標部１７、１８に沿って略直線状に配列されているものとして説明したが、指標部１７、１８が湾曲して形成され、当該指標部１７、１８に沿って湾曲させて配列されてもよい。
【００５７】
図７に示す変形例に係るセグメント表示部２０５は、指標部２１９を構成する目盛等の図柄２６３が湾曲して形成されると共に、立体物としての複数の発光セグメントバー２５２が当該指標部２１９に沿って湾曲させて配列されている。また、当該指標部２１９は、例えば、文字板４に形成され、奥行き方向に対して発光セグメントバー２５２とは重ならずに、各発光セグメントバー２５２に隣接するようにして設けられている。この場合であっても、表示装置１は、各発光セグメントバー２５２によって立体感を創出することができる。
【符号の説明】
【００５８】
１    表示装置
３    ディスプレイ
３ａ    画像表示面
５、２０５    セグメント表示部
６    導光板表示装置
１１    表示面
１６、１７、１８、２１９    指標部
５１、６２    光源
５２、２５２    発光セグメントバー（立体物）
５２ａ    基端部
５２ｂ    本体部
５２ｃ    屈曲部
５２ｄ    入射面
５３    キャップ部材
６１    透明文字板（透明部材）
６３、２６３    図柄
【図１】
0006522351.tif 000002
【図２】
0006522351.tif 000003
【図３】
0006522351.tif 000004
【図４】
0006522351.tif 000005
【図５】
0006522351.tif 000006
【図６】
0006522351.tif 000007
【図７】
0006522351.tif 000008